(57)【要約】      （修正有）【課題】隙間にゴミや埃などが入るのを防ぐとともに美観を向上させることができる階段用隙間材および階段構造を提供する。【解決手段】１枚の細長い板材から形成された本体２１を有している。本体２１は、蓋部２２と保持部２３とを一体的に有している。蓋部２２は、板材の両側縁部の間を長さ方向に沿って筒状に形成して成っている。蓋部２２は、階段の側板１２と柱との間の隙間１８の幅より広い幅を有している。保持部２３は、板材の両側縁部を互いに対向するよう形成して成っている。保持部２３は、隙間１８に挿入可能に、蓋部２２にその長さ方向に垂直に突出して設けられている。保持部２３は、互いの間隔が隙間１８の幅より広くなるよう形成された当接部２３ａを有し、隙間１８に挿入したとき側板１２と柱との間で広がって各当接部２３ａで保持される弾力性を有している。【選択図】図１
0003134713.tif 000002
【実用新案登録請求の範囲】
【請求項１】
階段の側板と柱または壁との間の隙間を塞ぐための階段用隙間材であって、
蓋部と保持部とから成る細長い本体を有し、
前記蓋部は細長く、前記隙間の幅より広い幅を有し、
前記保持部は前記蓋部に設けられ、常態で前記隙間の幅より広く、前記蓋部を前記隙間に沿って設けたとき圧縮して前記隙間に挿入可能であり、前記隙間に挿入したとき前記側板と前記柱または前記壁との間で広がって保持される弾力性を有することを、
特徴とする階段用隙間材。
【請求項２】
前記本体は１枚の細長い長方形の板材を折り曲げて形成される形状を有し、両側縁部が対向し、外面に前記両側縁部と平行な１対の山線と、各山線の間で各山線と平行な１対の谷線とを有し、各谷線の間に内側が開いた筒状の湾曲部を有しており、前記湾曲部が前記蓋部を構成し、前記湾曲部より両側縁部側が前記保持部を構成し、各山部の間隔が常態で前記隙間の幅より広く、前記保持部をその間隔を圧縮して前記隙間に挿入可能な弾力性を有することを、
特徴とする請求項１記載の階段用隙間材。
【請求項３】
前記保持部は、前記隙間に挿入されたとき前記側板に接触する部分にゴム材を有することを、特徴とする請求項１または２記載の階段用隙間材。
【請求項４】
柱または壁との間に隙間をあけて側板が取り付けられた階段構造であって、
請求項１、２または３記載の階段用隙間材を有し、
前記階段用隙間材は、前記蓋部で前記隙間を塞ぎ、前記保持部を前記隙間に挿入して前記隙間に取り付けられていることを、
特徴とする階段構造。
【考案の詳細な説明】
【技術分野】
【０００１】
本考案は、階段用隙間材および階段構造に関する。
【背景技術】
【０００２】
従来の階段構造として、固定金具を用いて、柱材との間に隙間が確保されるよう側板を固定することにより、階段昇降時の衝撃による騒音や振動が、側板から柱材に伝わって室内に伝搬するのを防止するものがある（例えば、特許文献１参照）。
【０００３】
【特許文献１】特開２００１−６５１３４号公報
【考案の開示】
【考案が解決しようとする課題】
【０００４】
しかしながら、特許文献１記載の階段構造では、柱材と側板との隙間にゴミや埃などが入り込んで溜まりやすいという課題があった。また、隙間があいていると見た目が悪く、美観を損ねるという課題もあった。
【０００５】
本考案は、このような従来の課題に着目してなされたもので、隙間にゴミや埃などが入るのを防ぐとともに美観を向上させることができる階段用隙間材および階段構造を提供することを目的とする。
【課題を解決するための手段】
【０００６】
上記目的を達成するために、本考案に係る階段用隙間材は、階段の側板と柱または壁との間の隙間を塞ぐための階段用隙間材であって、蓋部と保持部とから成る細長い本体を有し、前記蓋部は細長く、前記隙間の幅より広い幅を有し、前記保持部は前記蓋部に設けられ、常態で前記隙間の幅より広く、前記蓋部を前記隙間に沿って設けたとき圧縮して前記隙間に挿入可能であり、前記隙間に挿入したとき前記側板と前記柱または前記壁との間で広がって保持される弾力性を有することを、特徴とする。
【０００７】
本考案に係る階段用隙間材は、保持部を階段の側板と柱または壁との間の隙間に挿入することにより、蓋部でその隙間を塞ぐことができる。このため、側板と柱または壁との間の隙間にゴミや埃などが入り込むのを防ぐことができる。また、隙間があいている場合と比べて、美観を向上させることができる。隙間に挿入されたとき、保持部が側板と柱または壁との間で広がる弾力性を有しているため、隙間から外れにくい。本考案に係る階段用隙間材は、塞ぐ隙間の長さと同じ長さを有していることが好ましい。また、あらかじめ所定の長さに形成され、隙間の長さに応じて切断して使用されてもよい。
【０００８】
本考案に係る階段用隙間材で、前記本体は１枚の細長い長方形の板材を折り曲げて形成される形状を有し、両側縁部が対向し、外面に前記両側縁部と平行な１対の山線と、各山線の間で各山線と平行な１対の谷線とを有し、各谷線の間に内側が開いた筒状の湾曲部を有しており、前記湾曲部が前記蓋部を構成し、前記湾曲部より両側縁部側が前記保持部を構成し、各山部の間隔が常態で前記隙間の幅より広く、前記保持部をその間隔を圧縮して前記隙間に挿入可能な弾力性を有することが好ましい。
この場合、シンプルな構造であるため、容易かつ安価に形成することができる。本体は、弾力性のあるいかなる素材から成っていてもよく、例えば、鉄・アルミニウム等の金属製またはプラスチック製である。なお、山線および谷線は、角張った線状であっても湾曲して連続した凸部および凹部であってもよい。
【０００９】
本考案に係る階段用隙間材で、前記保持部は、前記隙間に挿入されたとき前記側板に接触する部分にゴム材を有することが好ましい。この場合、保持部がゴム材と側板との摩擦力で隙間に保持されるので、階段昇降時の振動などで階段用隙間材が隙間から外れるのを防ぐことができる。また、階段昇降時の振動をゴム材により吸収することができるので、保持部を保護するとともに、保持部と側板とが擦れて音が出るのを防ぐことができる。ゴム材は、弾力性のあるいかなる素材から成っていてもよいが、例えば、耐久性に優れたＥＰＤＭゴムが適している。
【００１０】
本考案に係る階段構造は、柱または壁との間に隙間をあけて側板が取り付けられた階段構造であって、本考案に係る階段用隙間材を有し、前記階段用隙間材は、前記蓋部で前記隙間を塞ぎ、前記保持部を前記隙間に挿入して前記隙間に取り付けられていることを、特徴とする。
【００１１】
本考案に係る階段構造は、階段用隙間材により側板と柱または壁との間の隙間が塞がれるため、側板と柱または壁との間の隙間にゴミや埃などが入り込むのを防ぎ、また、隙間があいている場合と比べて、美観を向上させることができる。
【考案の効果】
【００１２】
本考案によれば、隙間にゴミや埃などが入るのを防ぐとともに美観を向上させることができる階段用隙間材および階段構造を提供することができる。
【考案を実施するための最良の形態】
【００１３】
以下、図面に基づき本考案の実施の形態について説明する。
図１は、本考案の実施の形態の階段用隙間材および階段構造を示している。
図１に示すように、階段構造は、取付部材１１と側板１２と踏み板１３と階段用隙間材１４とを有している。
【００１４】
図１（ｂ）に示すように、取付部材１１は、対向する側面部１１ａ，１１ｂの下端を底部１１ｃで連結して形成され、断面がほぼＵ字型を成している。取付部材１１は、一方の側面部１１ａが高く形成されている。取付部材１１は、一方の側面部１１ａがビス１５で柱１に固定されている。側板１２は、下縁が取付部材１１の各側面部１１ａ，１１ｂの間に挿入され、接着剤１６で取付部材１１に、ビス１７で取付部材１１の他方の側面部１１ｂに固定されている。側板１２は、柱１との間に隙間１８を開けて取り付けられている。踏み板１３は、水平を成すよう側板１２に取り付けられている。
【００１５】
図１（ａ）に示すように、階段用隙間材１４は、プラスチック製の１枚の細長い長方形の板材を折り曲げて形成される形状を有している。図１に示すように、階段用隙間材１４の本体２１は、側板１２と柱１との間の隙間１８の長さと同じ長さを有し、蓋部２２と保持部２３とから一体的に成っている。蓋部２２は、細長く、板材の両側縁部の間を長さ方向に沿って円筒状に形成して成っている。蓋部２２は、本体２１の長さ方向に沿って設けられ、側板１２と柱１との間の隙間１８の幅より広い幅を有している。
【００１６】
本体２１は、両側縁部が対向し、外面に両側縁部と平行な１対の山線と、各山線の間で各山線と平行な１対の谷線とを有している。各谷線の間に内側が開いた円筒状の湾曲部を有し、その湾曲部が蓋部２２を構成している。湾曲部より両側縁部側が保持部２３を構成している。保持部２３は、蓋部２２の幅方向および長さ方向に対し垂直に突出して、本体２１の長さ方向に沿って設けられている。
【００１７】
本体２１は、各山部の間隔が常態で隙間１８の幅より広く、蓋部２２を隙間１８に沿って設けたとき、保持部２３をその間隔を圧縮して隙間１８に挿入可能な弾力性を有している。また、保持部２３は、側板１２と柱１との間の隙間１８に挿入したとき側板１２と柱１との間で広がって保持される弾力性を有している。保持部２３は、各両側縁部が互いに間隔をあけて設けられ、外側の山線の位置に当接部２３ａを有している。各当接部２３ａは、常態で互いの間隔が隙間１８の幅より広くなっている。
図１（ｂ）に示すように、階段用隙間材１４は、蓋部２２で側板１２と柱１との間の隙間１８を塞ぐよう、保持部２３を隙間１８に挿入して取り付けられている。
【００１８】
次に、作用について説明する。
本考案の実施の形態の階段構造は、階段用隙間材１４の保持部２３を階段の側板１２と柱１との間の隙間１８に挿入することにより、階段用隙間材１４の蓋部２２でその隙間１８を塞ぐことができる。このため、側板１２と柱１との間の隙間１８にゴミや埃などが入り込むのを防ぐことができる。また、隙間１８があいている場合と比べて、美観を向上させることができる。隙間１８に挿入したとき、保持部２３が側板１２と柱１との間で広がる弾力性を有しているため、階段用隙間材１４が隙間１８から外れにくい。階段用隙間材１４は、シンプルな構造であるため、容易かつ安価に形成することができる。
【００１９】
なお、図１（ａ）に示すように、本考案の実施の形態の階段構造は、階段用隙間材１４の保持部２３の側板１２側の当接部２３ａに、当接部２３aに沿って伸びるようＥＰＤＭゴム製のゴム材５１を有していてもよい。この場合、保持部２３がゴム材５１と側板１２との摩擦力で隙間に保持されるので、階段昇降時の振動などで階段用隙間材１４が隙間１８から外れるのを防ぐことができる。また、階段昇降時の振動をゴム材５１により吸収することができるので、保持部２３を保護するとともに、保持部２３と側板１２とが擦れて音が出るのを防ぐことができる。さらに、ゴム材５１により、側板１２に傷が付くのを防ぐこともできる。
【図面の簡単な説明】
【００２０】
【図１】本考案の実施の形態の階段用隙間材および階段構造を示す側面図である。
【符号の説明】
【００２１】
１    柱
１１  取付部材
１２  側板
１３  踏み板
１４  階段用隙間材
１８  隙間
２１  本体
２２  蓋部
２３  保持部
２３ａ  当接部
【図１】
0003134713.tif 000003